【手続補正書】
【提出日】平成16年4月6日(2004.4.6)
【手続補正１】
【補正対象書類名】明細書
【補正対象項目名】特許請求の範囲
【補正方法】変更
【補正の内容】
【特許請求の範囲】
【請求項１】
分離された色光の各々に対応して備えられ、該分離された色光の各々を駆動電圧により光変調し、映像色光として形成する横長な矩形の画像形成素子と、
該画像形成素子から出力される上記映像色光としての光を合成する光合成素子と、
上記光合成素子により合成された光が入射される第２レンズ群と、
上記第２レンズ群を通過した光が絞りを介して入射される第１Ｂレンズ群と、
横長な矩形形状に形成され、上記第１Ｂレンズ群を通過した光について、その短辺方向に沿って所定角度を成して上向きに反射させて出射するようにされた光路変換手段と、
上記光路変換手段から入射された光を透過してスクリーンに対して投射するようにして設けられ、上記画像形成素子の短辺方向に対応して有効光線外とされる部分がカットされた形状のレンズを有する第１Ａレンズ群と、
を備え、上記第２レンズ群、第１Ｂレンズ群および第１Ａレンズ群の組み合わせにより全体として正の屈折力を有するレンズと負の屈折力を有するレンズが組み合わされたレトロフォーカスタイプとなるようにされている、
ことを特徴とする投射レンズ。
【請求項２】
上記第２レンズ群、第１Ｂレンズ群および第１Ａレンズ群により全系の焦点距離をＦＬ、上記画像形成素子から第１Ａレンズ群最先端までのバックフォーカスをＦＢ、上記第２レンズ群の前側焦点位置をＦＦＰ２、上記絞りと上記第２レンズ群の間隔をＤｓｔ、上記第１Ａレンズ群と上記第１Ｂレンズ群の光軸上の空気換算距離をＤ２として、
ＦＢ／ＦＬ＞２．２
０．５９＜｜ＦＦＰ２／Ｄｓｔ｜＜０．９６
３．７５＜Ｄ２／ＦＬ
なる条件式を満足することを特徴とする請求項１に記載の投射レンズ。
【請求項３】
上記第１Ｂレンズ群は、貼り合わせレンズであることを特徴とする請求項１に記載の投射レンズ。
【請求項４】
上記第２レンズ群は、画像形成素子側より、最も近い順に、少なくとも正レンズ、正レンズ、貼り合わせレンズのガラスレンズを備えて構成されることを特徴とする請求項１に記載の投射レンズ。
【請求項５】
上記第２レンズ群は、画像形成素子側より、最も近い順に、少なくとも正レンズ、貼り合わせレンズ、正レンズのガラスレンズを備えて構成されることを特徴とする請求項１に記載の投射レンズ。
【請求項６】
上記第２レンズ群は、スクリーン側より、少なくとも貼り合わせレンズ、正レンズ、当該第２レンズ群中で最も広い中心空気間隔を経て正レンズの順でガラスレンズを備えて構成されることを特徴とする請求項１に記載の投射レンズ。
【請求項７】
上記第２レンズ群は、スクリーン側より、少なくとも正レンズ、貼り合わせレンズ、当該第２レンズ群中で最も屈折力の強い正レンズのガラスレンズを備えて構成されることを特徴とする請求項１に記載の投射レンズ。
【請求項８】
上記第２レンズ群中の上記非球面レンズは、最もスクリーン側に位置することを特徴とする請求項１に記載の投射レンズ。
【請求項９】
上記第２レンズ群中の上記非球面レンズは、最も画像形成素子側に位置することを特徴とする請求項１に記載の投射レンズ。
【請求項１０】
上記第２レンズ群中の上記非球面レンズは、負の屈折力を有する両凹レンズであることを特徴とする請求項１に記載の投射レンズ。
【請求項１１】
上記光路変換手段は、Ｓ偏光成分よりもＰ偏光成分を強く反射するように構成される、又はＰ偏光成分よりもＳ偏光成分を強く反射するように構成されることを特徴とする請求項１に記載の投射レンズ。
【請求項１２】
光源と、
該光源からの光を複数の色光に分離する光分離手段と、
該光分離手段により分離された色光の各々に対応して備えられ、該分離された色光の各々を駆動電圧により光変調し、映像色光として形成する横長な矩形の画像形成素子と、
該画像形成素子から出力される上記映像色光としての光を合成する光合成素子と、
上記光合成素子により合成された光が入射される第２レンズ群と、
上記第２レンズ群を通過した光が絞りを介して入射される第１Ｂレンズ群と、
横長な矩形形状に形成され、上記第１Ｂレンズ群を通過した光について、その短辺方向に沿って所定角度を成して上向きに反射させて出射するようにされた光路変換手段と、
上記光路変換手段から入射された光を透過してスクリーンに対して投射するようにして設けられ、上記画像形成素子の短辺方向に対応して有効光線外とされる部分がカットされた形状のレンズを有する第１Ａレンズ群と、
上記第１Ａレンズ群により投射された画像を表示するスクリーンとを備え、
上記第２レンズ群、第１Ｂレンズ群および第１Ａレンズ群の組み合わせから成るレンズ系としては、全体として正の屈折力を有するレンズと負の屈折力を有するレンズが組み合わされたレトロフォーカスタイプとされている、
ことを特徴とするプロジェクション表示装置。
【請求項１３】
上記第２レンズ群、第１Ｂレンズ群および第１Ａレンズ群により全系の焦点距離をＦＬ、上記画像形成素子から第１Ａレンズ群最先端までのバックフォーカスをＦＢ、上記第２レンズ群の前側焦点位置をＦＦＰ２、上記絞りと上記第２レンズ群の間隔をＤｓｔ、上記第１Ａレンズ群と上記第１Ｂレンズ群の光軸上の空気換算距離をＤ２として、
ＦＢ／ＦＬ＞２．２
０．５９＜｜ＦＦＰ２／Ｄｓｔ｜＜０．９６
３．７５＜Ｄ２／ＦＬ
なる条件式を満足することを特徴とする請求項１２に記載のプロジェクション表示装置。
【手続補正２】
【補正対象書類名】明細書
【補正対象項目名】００１３
【補正方法】変更
【補正の内容】
【００１３】
このために本発明は、分離された色光の各々に対応して備えられ、これらの分離された色光の各々を駆動電圧により光変調し、映像色光として形成する横長な矩形の画像形成素子と、この画像形成素子から出力される映像色光としての光を合成する光合成素子と、これらの光合成素子により合成された光が入射される第２レンズ群と、この第２レンズ群を通過した光が絞りを介して入射される第１Ｂレンズ群と、横長な矩形形状に形成され、第１Ｂレンズ群を通過した光について、その短辺方向に沿って所定角度を成して上向きに反射させて出射するようにされた光路変換手段と、この光路変換手段から入射された光を透過してスクリーンに対して投射するようにして設けられ、画像形成素子の短辺方向に対応して有効光線外とされる部分がカットされた形状のレンズを有する第１Ａレンズ群とを備え、第２レンズ群、第１Ｂレンズ群および第１Ａレンズ群の組み合わせにより全体として正の屈折力を有するレンズと負の屈折力を有するレンズが組み合わされたレトロフォーカスタイプとなるようにして、投射レンズを構成することとした。
【手続補正３】
【補正対象書類名】明細書
【補正対象項目名】００１４
【補正方法】変更
【補正の内容】
【００１４】
また、光源と、この光源からの光を複数の色光に分離する光分離手段と、この光分離手段により分離された色光の各々に対応して備えられ、これら分離された色光の各々を駆動電圧により光変調し、映像色光として形成する横長な矩形の画像形成素子と、これら画像形成素子から出力される映像色光としての光を合成する光合成素子と、これら光合成素子により合成された光が入射される第２レンズ群と、この第２レンズ群を通過した光が絞りを介して入射される第１Ｂレンズ群と、横長な矩形形状に形成され、第１Ｂレンズ群を通過した光について、その短辺方向に沿って所定角度を成して上向きに反射させて出射するようにされた光路変換手段と、この光路変換手段から入射された光を透過してスクリーンに対して投射するようにして設けられ、画像形成素子の短辺方向に対応して有効光線外とされる部分がカットされた形状のレンズを有する第１Ａレンズ群と、この第１Ａレンズ群により投射された画像を表示するスクリーンとを備え、第２レンズ群、第１Ｂレンズ群および第１Ａレンズ群の組み合わせから成るレンズ系としては、全体として正の屈折力を有するレンズと負の屈折力を有するレンズが組み合わされたレトロフォーカスタイプとされるようにして、プロジェクション表示装置を構成することとした。
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】変更
【補正の内容】
【００１６】
上記各構成によれば、本発明の投射レンズ単体、又は、本発明のプロジェクション表示装置を構成する投射レンズとしては、その内部に光路変換手段を備えていることとなる。そして、このような投射レンズにつき、上記構成によるレンズ群と光路変換手段の配置とすることで、高画角であって、かつ長いバックフォーカスでありながらも短い投射距離が確保され、かつ、テレセントリック性が保たれる投射レンズを得ることが可能になる。
【手続補正６】
【補正対象書類名】明細書
【補正対象項目名】００４９
【補正方法】変更
【補正の内容】
【００４９】
そして、本実施の形態としては、後述するように、前側の負の屈折力を持つレンズＬ２に相当する第１レンズ群０において、負の屈折力を有する第１Ａレンズ群１００と、正の屈折力を有する第１Ｂレンズ群２００の間隔を広く取ると共に、バランスのよい屈折力配分とすることで、投射レンズ２０内における光路変換を可能とするだけの広い空間が得られるようにしているものである。


【手続補正７】
【補正対象書類名】明細書
【補正対象項目名】００６４
【補正方法】変更
【補正の内容】
【００６４】
また、図１３及び図１４に示す投射レンズ２０の構成によると、第１Ａレンズ群を形成するレンズ（１０１，１０２）については、その外形が、光路変換の方向（画像表示素子の短辺方向）の有効光線外部分がカットされた形状を有している。


【手続補正８】
【補正対象書類名】図面
【補正対象項目名】図９
【補正方法】変更
【補正の内容】
【図９】
2003156683.tif 000001